(57)【要約】 【課題】  複数のセクタから構成されるアドレス単位にて情報アドレスの管理が行われている情報記録媒体においても、記録領域の属性が切替わる境界のアドレスを特定でき、光ピックアップが無信号エリアに入り込むことを確実に防止する。【解決手段】  情報記録媒体には、高密度記録可能なブルーレイディスクなどの光ディスクを用いることができる。ブルーレイディスクでは、物理アドレスの管理を上記のデータセクタよりも大きな単位（ＡＵＮ）で行っているため、データゾーンやリードアウトエリアなどの記録領域の属性を示す情報（ゾーンタイプ情報）をそのアドレス管理単位で格納することができない。そのため、正確に記録領域の属性が切替わる境界のアドレスを特定することができない。そこで、ＡＵＮ内において、この境界が存在するかを示す切換えフラグを記録させる。この切換えフラグを用いることにより、情報記録再生装置は光ディスク上の記録領域の境界のアドレスを正確に特定することができる。これにより、光ピックアップを無信号エリアなどに突入させないよう制御することができる。【選択図】      図５
2005085445.tif 000002
【特許請求の範囲】
【請求項１】
記録された情報のアドレス管理が、複数のセクタから構成されるアドレス単位にて行われる情報記録媒体であって、
前記セクタごとに、当該セクタが前記情報記録媒体上の複数の領域のうちのいずれに属するかを示すゾーンタイプ情報が記録され、かつ、前記アドレス単位ごとに、当該アドレス単位内に前記複数の領域の境界が含まれるか否かを示す切替えフラグが記録されていることを特徴とする情報記録媒体。
【請求項２】
前記アドレス単位は、２つの前記セクタから構成されることを特徴とする請求項１に記載の情報記録媒体。
【請求項３】
前記ゾーンタイプ情報は２ビットのデータであり、前記切替えフラグは１ビットのデータであることを特徴とする請求項１又は２に記載の情報記録媒体。
【請求項４】
記録された情報のアドレス管理が、複数のセクタから構成されるアドレス単位にて行われる情報記録媒体に情報を記録する情報記録装置であって、
前記情報記録媒体は、前記セクタごとに、当該セクタが前記情報記録媒体上の複数の領域のうちのいずれに属するかを示すゾーンタイプ情報が記録され、かつ、前記アドレス単位ごとに、当該アドレス単位内に前記複数の領域の境界が含まれるか否かを示す切替えフラグが記録されており、
前記情報記録装置は、
前記ゾーンタイプ情報を取得するゾーンタイプ情報取得手段と、
前記切替えフラグを取得する切替えフラグ取得手段と、
前記ゾーンタイプ情報及び前記切替えフラグ情報に基づいて、前記複数の記録領域の境界を特定する境界特定手段と、を備えることを特徴とする情報記録装置。
【請求項５】
前記境界特定手段は、
前記ゾーンタイプ情報がデータゾーンからリードアウトゾーンに変化する変化点を含むアドレス単位を検出する手段と、
前記変化点を含むアドレス単位の切替えフラグが前記境界を含むことを示すときには当該アドレス単位内に前記データゾーンの最後尾が存在すると判定し、前記変化点を含むアドレス単位の切替えフラグが前記境界を含まないことを示すときには当該アドレス単位の直前に前記データゾーンの最後尾が存在すると判定する判定手段と、を備えることを特徴とする請求項４に記載の情報記録装置。
【請求項６】
記録された情報のアドレス管理が、複数のセクタから構成されるアドレス単位にて行われる情報記録媒体に記録された情報を再生する情報再生装置であって、
前記情報記録媒体は、前記セクタごとに、当該セクタが前記情報記録媒体上の複数の領域のうちのいずれに属するかを示すゾーンタイプ情報が記録され、かつ、前記アドレス単位ごとに、当該アドレス単位内に前記複数の領域の境界が含まれるか否かを示す切替えフラグが記録されており、
前記情報再生装置は、
前記ゾーンタイプ情報を取得するゾーンタイプ情報取得手段と、
前記切替えフラグを取得する切替えフラグ取得手段と、
前記ゾーンタイプ情報及び前記切替えフラグ情報に基づいて、前記複数の記録領域の境界を特定する境界特定手段と、を備えることを特徴とする情報再生装置。
【請求項７】
前記境界特定手段は、
前記ゾーンタイプ情報がデータゾーンからリードアウトゾーンに変化する変化点を含むアドレス単位を検出する手段と、
前記変化点を含むアドレス単位の切替えフラグが前記境界を含むことを示すときには当該アドレス単位内に前記データゾーンの最後尾が存在すると判定し、前記変化点を含むアドレス単位の切替えフラグが前記境界を含まないことを示すときには当該アドレス単位の直前に前記データゾーンの最後尾が存在すると判定する判定手段と、を備えることを特徴とする請求項６に記載の情報再生装置。
【請求項８】
記録された情報のアドレス管理が、複数のセクタから構成されるアドレス単位にて行われる情報記録媒体に情報を記録する情報記録方法であって、
前記情報記録媒体は、前記セクタごとに、当該セクタが前記情報記録媒体上の複数の領域のうちのいずれに属するかを示すゾーンタイプ情報が記録され、かつ、前記アドレス単位ごとに、当該アドレス単位内に前記複数の領域の境界が含まれるか否かを示す切替えフラグが記録されており、
前記情報記録方法は、
前記ゾーンタイプ情報を取得するゾーンタイプ情報取得工程と、
前記切替えフラグを取得する切替えフラグ取得工程と、
前記ゾーンタイプ情報及び前記切替えフラグ情報に基づいて、前記複数の記録領域の境界を特定する境界特定工程と、を備えることを特徴とする情報記録方法。
【請求項９】
記録された情報のアドレス管理が、複数のセクタから構成されるアドレス単位にて行われる情報記録媒体に記録された情報を再生する情報再生方法であって、
前記情報記録媒体は、前記セクタごとに、当該セクタが前記情報記録媒体上の複数の領域のうちのいずれに属するかを示すゾーンタイプ情報が記録され、かつ、前記アドレス単位ごとに、当該アドレス単位内に前記複数の領域の境界が含まれるか否かを示す切替えフラグが記録されており、
前記情報再生方法は、
前記ゾーンタイプ情報を取得するゾーンタイプ情報取得工程と、
前記切替えフラグを取得する切替えフラグ取得工程と、
前記ゾーンタイプ情報及び前記切替えフラグ情報に基づいて、前記複数の記録領域の境界を特定する境界特定工程と、を備えることを特徴とする情報再生方法。
【請求項１０】
記録された情報のアドレス管理が、複数のセクタから構成されるアドレス単位にて行われる情報記録媒体に情報を記録する情報記録装置にて実行される情報処理プログラムであって、
前記情報記録媒体は、前記セクタごとに、当該セクタが前記情報記録媒体上の複数の領域のうちのいずれに属するかを示すゾーンタイプ情報が記録され、かつ、前記アドレス単位ごとに、当該アドレス単位内に前記複数の領域の境界が含まれるか否かを示す切替えフラグが記録されており、
前記情報処理プログラムは、前記情報記録装置を、
前記ゾーンタイプ情報を取得するゾーンタイプ情報取得手段と、
前記切替えフラグを取得する切替えフラグ取得手段と、
前記ゾーンタイプ情報及び前記切替えフラグ情報に基づいて、前記複数の記録領域の境界を特定する境界特定手段として機能させることを特徴とする情報処理プログラム。
【請求項１１】
記録された情報のアドレス管理が、複数のセクタから構成されるアドレス単位にて行われる情報記録媒体に記録された情報を再生する情報再生装置にて実行される情報処理プログラムであって、
前記情報記録媒体は、前記セクタごとに、当該セクタが前記情報記録媒体上の複数の領域のうちのいずれに属するかを示すゾーンタイプ情報が記録され、かつ、前記アドレス単位ごとに、当該アドレス単位内に前記複数の領域の境界が含まれるか否かを示す切替えフラグが記録されており、
前記情報処理プログラムは、前記情報再生装置を、
前記ゾーンタイプ情報を取得するゾーンタイプ情報取得手段と、
前記切替えフラグを取得する切替えフラグ取得手段と、
前記ゾーンタイプ情報及び前記切替えフラグ情報に基づいて、前記複数の記録領域の境界を特定する境界特定手段として機能させることを特徴とする情報処理プログラム。
【発明の詳細な説明】
【技術分野】
【０００１】
本発明は、複数の記録領域から成る情報記録媒体の記録領域の境界を特定する技術を含んだ情報記録再生装置に関する。
【背景技術】
【０００２】
ＤＶＤ−ＲＯＭ（DVD-Read Only Memory)、ＤＶＤ−Ｒ（DVD-Recordable）やＤＶＤ−ＲＷ（DVD-Re-recordable）などに代表される光ディスクなどの情報記録媒体や、これら情報記録媒体に情報を記録し、記録した情報を再生することができる情報記録再生装置が知られている。このような情報記録媒体においては、情報の記録に用いられる記録領域にはピットが予め形成されているが、リードアウトエリアの外側の無信号エリア（ミラー部）にはピットが存在しない。そのため、情報を読み取るための光ピックアップがこの無信号エリアに突入すると、トラッキングのための信号が得られないためにスピンドル制御が不可能になってしまう。また、最悪の場合には、光ピックアップが外周部に暴走して情報記録再生装置が故障に至る可能性もある。
【０００３】
したがって、光ピックアップなどを、リードアウトエリアを超える位置に移動しないように制御する必要がある。基本的には、情報記録再生装置が、光ピックアップがリードアウトエリアの位置にあることを識別できれば、光ピックアップを内周側に引き戻す処理を行うことができる。一般的には、リードインエリア内にデータゾーンの最後のアドレスを示す情報が予め記録されており、情報記録再生装置はその情報を取得することにより光ピックアップの制御を行っている（これを「第１の方法」と呼ぶ）。詳しくは、情報記録再生装置は、現在読み込み中のデータセクタ（単に、「セクタ」とも呼ぶ）のアドレス情報と取得したデータゾーンの最後のアドレスを示す情報とを、その都度比較することで光ピックアップがリードアウトエリアに入っているかどうかを識別している。
【０００４】
さらに、他には、データセクタごとに記録領域の種類を示す情報（以下、「ゾーンタイプ情報（Ｚｏｎｅ ｔｙｐｅ情報）」と呼ぶ）を記録媒体に記録しておき、その情報を毎回読み取ることで光ピックアップが存在する位置を把握する方法がある（「第２の方法」と呼ぶ）。先述した第１の方法では、アドレス情報が常に変化してしまうが、ゾーンタイプ情報を用いた第２の方法では、このゾーンタイプ情報は変化しないため情報の読み取り確率は高い。したがって、ゾーンタイプ情報を用いた第２の方法では、光ピックアップが無信号エリアに達しないように正確に制御することができる。
【０００５】
ところで、最近では、情報をさらに高密度に大容量記録するために、ブルーレーザを用いた情報記録再生装置及び情報記録媒体（「ブルーレイディスク」などとも呼ばれる。）が開発されている。赤色のレーザを用いるＤＶＤ−ＲＯＭ、ＤＶＤ−Ｒなどの記録媒体にはデータセクタ単位でゾーンタイプ情報が付加できたが、ＢＤ−ＲＷやＢＤ−ＲＯＭなどのブルーレイディスクにおいてはデータセクタ単位でこのような情報を格納する領域がない。これは、ブルーレイディスクでは、物理アドレスの管理を上記のデータセクタよりも大きな単位で行っているからである。したがって、このゾーンタイプ情報をブルーレイディスクに導入した場合には、上述の第２の方法によっては、光ピックアップの位置制御をデータセクタ単位で正しく行うことができない。そのため、上述した第１の方法によりリードインエリア内にあるデータゾーンの最後のアドレスを示す情報を取得できなかった場合には、光ピックアップが無信号エリアに突入してしまう可能性がある。
【発明の開示】
【発明が解決しようとする課題】
【０００６】
請求項１に記載の発明は、記録された情報のアドレス管理が、複数のセクタから構成されるアドレス単位にて行われる情報記録媒体であって、前記セクタごとに、当該セクタが前記情報記録媒体上の複数の領域のうちのいずれに属するかを示すゾーンタイプ情報が記録され、かつ、前記アドレス単位ごとに、当該アドレス単位内に前記複数の領域の境界が含まれるか否かを示す切替えフラグが記録されていることを特徴とする。
【０００７】
請求項４に記載の発明は、記録された情報のアドレス管理が、複数のセクタから構成されるアドレス単位にて行われる情報記録媒体に情報を記録する情報記録装置であって、前記情報記録媒体は、前記セクタごとに、当該セクタが前記情報記録媒体上の複数の領域のうちのいずれに属するかを示すゾーンタイプ情報が記録され、かつ、前記アドレス単位ごとに、当該アドレス単位内に前記複数の領域の境界が含まれるか否かを示す切替えフラグが記録されており、前記情報記録装置は、前記ゾーンタイプ情報を取得するゾーンタイプ情報取得手段と、前記切替えフラグを取得する切替えフラグ取得手段と、前記ゾーンタイプ情報及び前記切替えフラグ情報に基づいて、前記複数の記録領域の境界を特定する境界特定手段と、を備えることを特徴とする。
【０００８】
請求項６に記載の発明は、記録された情報のアドレス管理が、複数のセクタから構成されるアドレス単位にて行われる情報記録媒体に記録された情報を再生する情報再生装置であって、前記情報記録媒体は、前記セクタごとに、当該セクタが前記情報記録媒体上の複数の領域のうちのいずれに属するかを示すゾーンタイプ情報が記録され、かつ、前記アドレス単位ごとに、当該アドレス単位内に前記複数の領域の境界が含まれるか否かを示す切替えフラグが記録されており、前記情報再生装置は、前記ゾーンタイプ情報を取得するゾーンタイプ情報取得手段と、前記切替えフラグを取得する切替えフラグ取得手段と、前記ゾーンタイプ情報及び前記切替えフラグ情報に基づいて、前記複数の記録領域の境界を特定する境界特定手段と、を備えることを特徴とする。
【０００９】
請求項８に記載の発明は、記録された情報のアドレス管理が、複数のセクタから構成されるアドレス単位にて行われる情報記録媒体に情報を記録する情報記録方法であって、前記情報記録媒体は、前記セクタごとに、当該セクタが前記情報記録媒体上の複数の領域のうちのいずれに属するかを示すゾーンタイプ情報が記録され、かつ、前記アドレス単位ごとに、当該アドレス単位内に前記複数の領域の境界が含まれるか否かを示す切替えフラグが記録されており、前記情報記録方法は、前記ゾーンタイプ情報を取得するゾーンタイプ情報取得工程と、前記切替えフラグを取得する切替えフラグ取得工程と、前記ゾーンタイプ情報及び前記切替えフラグ情報に基づいて、前記複数の記録領域の境界を特定する境界特定工程と、を備えることを特徴とする。
【００１０】
請求項９に記載の発明は、記録された情報のアドレス管理が、複数のセクタから構成されるアドレス単位にて行われる情報記録媒体に記録された情報を再生する情報再生方法であって、前記情報記録媒体は、前記セクタごとに、当該セクタが前記情報記録媒体上の複数の領域のうちのいずれに属するかを示すゾーンタイプ情報が記録され、かつ、前記アドレス単位ごとに、当該アドレス単位内に前記複数の領域の境界が含まれるか否かを示す切替えフラグが記録されており、前記情報再生方法は、前記ゾーンタイプ情報を取得するゾーンタイプ情報取得工程と、前記切替えフラグを取得する切替えフラグ取得工程と、前記ゾーンタイプ情報及び前記切替えフラグ情報に基づいて、前記複数の記録領域の境界を特定する境界特定工程と、を備えることを特徴とする。
【００１１】
請求項１０に記載の発明は、記録された情報のアドレス管理が、複数のセクタから構成されるアドレス単位にて行われる情報記録媒体に情報を記録する情報記録装置にて実行される情報処理プログラムであって、前記情報記録媒体は、前記セクタごとに、当該セクタが前記情報記録媒体上の複数の領域のうちのいずれに属するかを示すゾーンタイプ情報が記録され、かつ、前記アドレス単位ごとに、当該アドレス単位内に前記複数の領域の境界が含まれるか否かを示す切替えフラグが記録されており、前記情報処理プログラムは、前記情報記録装置を、前記ゾーンタイプ情報を取得するゾーンタイプ情報取得手段と、前記切替えフラグを取得する切替えフラグ取得手段と、前記ゾーンタイプ情報及び前記切替えフラグ情報に基づいて、前記複数の記録領域の境界を特定する境界特定手段として機能させることを特徴とする。
【００１２】
請求項１１に記載の発明は、記録された情報のアドレス管理が、複数のセクタから構成されるアドレス単位にて行われる情報記録媒体に記録された情報を再生する情報再生装置にて実行される情報処理プログラムであって、前記情報記録媒体は、前記セクタごとに、当該セクタが前記情報記録媒体上の複数の領域のうちのいずれに属するかを示すゾーンタイプ情報が記録され、かつ、前記アドレス単位ごとに、当該アドレス単位内に前記複数の領域の境界が含まれるか否かを示す切替えフラグが記録されており、前記情報処理プログラムは、前記情報再生装置を、前記ゾーンタイプ情報を取得するゾーンタイプ情報取得手段と、前記切替えフラグを取得する切替えフラグ取得手段と、前記ゾーンタイプ情報及び前記切替えフラグ情報に基づいて、前記複数の記録領域の境界を特定する境界特定手段として機能させることを特徴とする。
【発明を実施するための最良の形態】
【００１３】
本発明の好適な実施形態では、情報記録媒体は、記録された情報のアドレス管理が、複数のセクタから構成されるアドレス単位にて行われる情報記録媒体であって、前記セクタごとに、当該セクタが前記情報記録媒体上の複数の領域のうちのいずれに属するかを示すゾーンタイプ情報が記録され、かつ、前記アドレス単位ごとに、当該アドレス単位内に前記複数の領域の境界が含まれるか否かを示す切替えフラグが記録されている。
【００１４】
上記の情報記録媒体は、光ディスクとすることができ、特にＢＤ−ＲＷやＢＤ−ＲＯＭなどに代表される高密度記録が可能なブルーレイディスクが好適である。情報記録媒体は、リードインエリア、データゾーン及びリードアウトエリアなどの情報を記録するための記録領域と、リードアウトエリアの外側に無信号エリアと、を備える。このような情報記録媒体において、記録領域にはピットが予め形成されているが、リードアウトエリアの外側の無信号エリア（ミラー部）にはピットが存在しないので、光ピックアップがこの無信号エリアに突入すると、トラッキングのための信号が得られないためにスピンドル制御が不可能になってしまう。このような状況を生じさせないために、データセクタごとに上記の記録領域の属性を示す情報（即ち、「ゾーンタイプ情報」）を記録媒体に記録しておき、その情報を毎回読み取ることで光ピックアップが存在する位置を把握して、無信号エリアに達しないように正確に制御する方法が採用されている。ここで、ブルーレイディスクでは、記録情報に関する物理アドレスの管理をデータセクタよりも大きなＡＵＮ（Address Unit Number）単位で行っている。上記のゾーンタイプ情報をブルーレイディスクに導入した場合には、データセクタ単位でこのような情報を格納する領域がないので、データセクタ単位で、記録領域の境界を正確に認識することができない。これにより、ブルーレイディスクを記録又は再生を行う際に、光ピックアップが無信号エリアに突入してしまう可能性がある。そのため、本発明の実施形態では、ゾーンタイプ情報以外に切替えフラグをＡＵＮ内に記録させている。この切替えフラグは、複数のデータセクタから成るＡＵＮ内において、ゾーンタイプ情報が途中で切替わっているかどうかを示している情報である。つまり、この切替えフラグを参照することにより、例えばデータゾーンとリードアウトエリアの境界のアドレスを特定することができる。以上により、例えばデータゾーンの最終セクタのアドレス取得後は、情報処理装置は、それ以降の領域に光ピックアップを移動させないように制御することができる。
【００１５】
１つの好適な実施例では、前記アドレス単位は、２つの前記セクタから構成されることができる。一般的にデータセクタは２Ｋバイト単位であるが、この場合にはＡＵＮはその２倍の４Ｋバイト単位となる。
【００１６】
また、他の好適な実施例では、前記ゾーンタイプ情報は２ビットのデータであり、前記切替えフラグは１ビットのデータとすることができる。例えば、任意に選んだ１つのセクタがリードインエリアに存在していればゾーンタイプ情報として「０１」が記録され、データゾーンに存在すれば「００」の情報が記録され、リードアウトエリアに存在すれば「１０」の情報が記録される。また、ＡＵＮ内でゾーンタイプ情報が途中で切替った場合は「１」、途中で切替っていない場合には「０」を当該ＡＵＮ内に記録させる。
【００１７】
さらに、本発明の好適な実施形態では、記録された情報のアドレス管理が、複数のセクタから構成されるアドレス単位にて行われる情報記録媒体であって、前記セクタごとに、当該セクタが前記情報記録媒体上の複数の領域のうちのいずれに属するかを示すゾーンタイプ情報が記録され、かつ、前記アドレス単位ごとに、当該アドレス単位内に前記複数の領域の境界が含まれるか否かを示す切替えフラグが記録されている情報記録媒体に情報を記録する又は当該情報記録媒体を再生する情報処理装置であって、前記ゾーンタイプ情報を取得するゾーンタイプ情報取得手段と、前記切替えフラグを取得する切替えフラグ取得手段と、前記ゾーンタイプ情報及び前記切替えフラグ情報に基づいて、前記複数の記録領域の境界を特定する境界特定手段と、を備えることができる。
【００１８】
上記の情報処理装置は、ＢＤ−ＲＷやＢＤ−ＲＯＭなどの情報記録媒体に記録された記録情報を再生する機能と、さらに情報を記録する機能とを備えている。本実施形態に係る情報処理装置は、上述したような記録型のブルーレイディスク（ＢＤ−ＲＷ）に対して記録又は再生の処理を行うことができ、現在規格策定中の再生専用型のブルーレイディスク（ＢＤ−ＲＯＭ）に対して再生の処理を行うことができる。具体的には、記録媒体のデータセクタが属している記録領域の属性を示すゾーンタイプ情報を取得するゾーンタイプ情報取得手段と、ＡＵＮ内に前記記録領域の境界が存在しいているかを示す切替えフラグを読み取る切替えフラグ取得手段と、を備えている。そして、これらにより取得した情報に基づいて、前記情報記録媒体の記録領域の境界を特定する境界特定手段を有している。これらにより、情報処理装置は、光ピックアップを無信号エリアなどに突入させないように制御することができる。
【００１９】
好適な実施例では、前記境界特定手段は、前記ゾーンタイプ情報がデータゾーンからリードアウトゾーンに変化する変化点を含むアドレス単位を検出する手段と、前記変化点を含むアドレス単位の切替えフラグが前記境界を含むことを示すときには当該アドレス単位内に前記データゾーンの最後尾が存在すると判定し、前記変化点を含むアドレス単位の切替えフラグが前記境界を含まないことを示すときには当該アドレス単位の直前に前記データゾーンの最後尾が存在すると判定する判定手段と、を備える。
【００２０】
上記の境界特定手段に関する処理の一例としては、ＡＵＮの前後でデータゾーンからリードアウトエリアに切替わっており、さらに、後に位置するＡＵＮの切換えフラグを調べたとき、切替わっていることを示す「１」である場合、この後に位置するＡＵＮ内の最初のデータセクタがデータゾーンの最後尾であると特定することができる。一方、ＡＵＮの前後でデータゾーンからリードアウトエリアに切替わっており、さらに、後に位置するＡＵＮの切換えフラグを調べたとき、切替わっていないことを示す「０」である場合、前に位置するＡＵＮ内の最後のデータセクタがデータゾーンの最後尾であると特定することができる。
【００２１】
さらに、本発明の同様の観点により、上記の情報処理装置と同様の方法で情報記録媒体の記録領域の境界を特定することが可能な情報処理方法を提供することができる。また、情報処理装置内で実行されることにより、情報処理装置を上記のように機能させる情報処理プログラムを提供することができる。
【実施例】
【００２２】
以下、本発明の好適な実施例を図面に基づいて説明する。
【００２３】
［情報記録媒体］
まず、本発明の実施形態に係る情報記録媒体について説明する。図１は本実施形態に係る情報記録媒体である光ディスク１００の概略構造について示してある。なお、図１において、左側が光ディスク１００の内周側であり、右側が外周側である。なお、光ディスク１００としては、ＢＤ−ＲＷ、ＢＤ−ＲＯＭディスクなどが挙げられる。
【００２４】
図１に示すように、光ディスク１００の記録面上には、その内周側にリードインエリア１０１が存在し、リードインエリア１０１の外周側にデータゾーン１０２が存在し、データゾーン１０２の外周側にリードアウトエリア１０３が存在する。さらに、リードアウトエリア１０３の外周側には無信号エリア１０４が存在している。
【００２５】
リードインエリア１０１とリードアウトエリア１０３には、光ディスク１００に記録された情報に対するディスク全般の管理情報などが記録されている。一方、データゾーン１０２には、画像データ、音声データ、コンテンツデータ、コンピュータプログラムなど、主に再生ないし実行の対象となるデータ及び、これら記録されているファイルの管理情報などが記録されている。
【００２６】
これらリードインエリア１０１、データゾーン１０２及びリードアウトエリア１０３においては光ディスク１００上に情報を記録するために予めピットが形成されている。一方、無信号エリア１０４にはピットが形成されておらず、無信号となっている。このため、情報を読み取る光ピックアップが無信号エリア１０４に突入すると、トラッキングのための信号が得られないためにスピンドル制御が不可能になってしまう。
【００２７】
本実施形態に係る光ディスク１００には、記録情報を再生することができる情報記録再生装置が有する光ピックアップが、無信号エリア１０４に突入しないように正確に制御されるための処置が施してある。基本的には、情報記録再生装置が、光ピックアップがリードアウトエリア１０３の位置にあることを識別できれば、光ピックアップを内周側に引き戻す処理を行うことができる。そのため、本実施形態では、データセクタごとに記録領域の属性を示す情報（即ち、ゾーンタイプ情報）を光ディスク１００に記録しておき、その情報を毎回読み取ることで光ピックアップが存在する位置を把握する方法を採用している。このゾーンタイプ情報を用いた方法では、ゾーンタイプ情報は変化しないため情報の読み取り確率が高いという利点がある。
【００２８】
具体的にゾーンタイプ情報について説明する。図１に示すように、記録領域の属性に対するゾーンタイプ情報が予め決められており、その記録領域に存在する各情報のデータセクタ内に、２ビットのゾーンタイプ情報がそれぞれ記録される。例えば、光ディスク１００上に記録された記録情報がリードインエリア１０１に存在していれば「０１」のゾーンタイプ情報が記録され、データゾーン１０２に存在していれば「００」のゾーンタイプ情報が記録され、リードアウトエリア１０３に存在していれば「１０」のゾーンタイプ情報が記録されている。このゾーンタイプ情報はデータセクタごとに記録されているので、情報記録再生装置は記録情報を読み出すごとにゾーンタイプ情報を確認して、光ピックアップがどの領域に存在しているかを認識することができ、光ピックアップが無信号エリア１０４に達しないように制御することができる。
【００２９】
次に、光ディスク１００の詳細な記録構造について図２を参照しながら説明する。図２の上段に示すように、光ディスク１００上に記録された情報はＥＣＣ（Error Correction Code）ブロック１１を１単位として誤り訂正処理が行われる。さらに、ＥＣＣブロック１１は、図２の中段のように複数のデータセクタ１２から構成される。ＥＣＣブロック１１は、例えば、赤色光を用いるＤＶＤ−Ｒなどであれば１６個のデータセクタ１２を含み、ブルーレイディスクであればその倍の３２個のデータセクタ１２から構成される。
【００３０】
また、データセクタ１２は、ユーザデータ１３と制御情報１５から構成される。ユーザデータ１３は、画像データ、音声データ、コンテンツデータ、コンピュータプログラムなど、再生ないし実行すべき主たる情報である。一方、制御情報１５には、例えば、データセクタ１２の開始位置情報やトラッキングのための情報を含んだＩＤ情報などが含まれる。
【００３１】
次に、これら制御情報１５を１つのＥＣＣブロック１１内で集めて作成した制御情報ブロック１７の構成を図３に示す。制御情報ブロック１７は、アドレス情報ブロック１８とその他の情報から構成される。さらに、このアドレス情報ブロック１８は、それぞれのデータセクタ１２に対応するアドレスフィールド１９を含んでいる。この例では、１６個のアドレスフィールド１９から構成されるアドレスブロック１８について示している。このアドレスフィールド１９は、そのデータセクタ１２のアドレス情報や、そのデータセクタ１２が属する記録領域に関する情報などを含んでいる。
【００３２】
図４は、ブルーレイディスクに関する上記のアドレスフィールド１９の詳細を示した図である。アドレスフィールド１９は、ＡＵＮ２０と、リザーブ領域（Reserve領域）２１と、その他の情報から構成される。ブルーレイディスクにおいては物理アドレスの管理をデータセクタ１２ではなく、それよりも大きなＡＵＮ２０の単位を用いて行っている。したがって、先に述べたゾーンタイプ情報のみをブルーレイディスクに導入した場合には、データセクタ単位の正しい対処をとることができず光ピックアップが無信号エリアに突入してしまう可能性がある。なお、一般的にデータセクタ１２が２Ｋバイト単位であるのに対して、上記のＡＵＮ２０はその２倍の４Ｋバイト単位となっている。
【００３３】
本実施形態では、上述したようなＡＵＮ２０単位を採用することによって生じる問題を解決することが可能な処置を記録媒体に施してある。即ち、図４のリザーブ領域２１内には、２ビットのゾーンタイプ情報２１ａと、１ビットの切替えフラグ２１ｂとを記録しており、残りが５ビットのリザーブ（Reserved）領域となっている。ゾーンタイプ情報２１ａは、先で説明したものと同様であり、ＡＵＮ２０単位の情報が属する光ディスク１００上の記録領域の属性を示している。
【００３４】
但し、このゾーンタイプ情報２１ａは、上述したようにデータセクタ１２よりも大きなＡＵＮ２０をアドレス制御の単位として用いる場合には、データセクタ単位で光ディスク１００上の記録領域を正確に示すことはできない。例えば、ＡＵＮ２０内を構成する全てのデータセクタ１２が同じ記録領域に属していれば、そのＡＵＮ２０のゾーンタイプ情報２１ａを当該ゾーンタイプ情報にすることができる。しかし、ＡＵＮ２０内でデータセクタ１２が属する記録領域が切替わっている場合においては、そのＡＵＮ２０のゾーンタイプ情報２１ａを何にすべきかという問題が生じる。この問題には単純に、先頭に位置するデータセクタ１２のゾーンタイプ情報、又は最後尾に位置するデータセクタ１２のゾーンタイプ情報で、ＡＵＮ２０のゾーンタイプ情報２１ａを代表させることで対処することができる。しかし、これだけでは正確に異なる記録領域の境界を把握することができず、光ピックアップが無信号エリア１０４に突入してしまう可能性がある。
【００３５】
そのため、本実施形態では、このゾーンタイプ情報２１ａ以外に切替えフラグ２１ｂをＡＵＮ２０内に記録させている。この切替えフラグ２１ｂは、複数のデータセクタ１２から成るＡＵＮ２０内において、ゾーンタイプ情報が途中で切替わっているかどうかを示している情報である。つまり、この切替えフラグ２１ｂを参照することにより、ＡＵＮ２０の途中に、例えばデータゾーン１０２とリードアウトエリア１０３の境界など、記録領域の境界が存在するかどうかを識別することができる。具体的には、ＡＵＮ２０内でゾーンタイプ情報が途中で切替った場合は「１」、途中で切替っていない場合には「０」を、リザーブ領域２１内の情報に付加させる。
【００３６】
次に、図５を用いて記録領域の境界を特定する方法の概要について説明する。図５では、２個のデータセクタ１２から構成されるＡＵＮ２０を示している。左から、ＡＵＮ２０のアドレスがｘ、ｘ＋１、ｘ＋２となっている（以下、それぞれのＡＵＮ２０を、「ＡＵＮｘ」、「ＡＵＮｘ＋１」、「ＡＵＮｘ＋２」と表記する）。ＡＵＮｘを構成するデータセクタ１２は、全てデータゾーン１０２に属している。一方、ＡＵＮｘ＋１を構成するデータセクタ１２は、データゾーン１０２とリードアウトエリア１０３の２つに属している。また、ＡＵＮｘ＋２を構成するデータセクタ１２は、全てリードアウトエリア１０３に属している。
【００３７】
ゾーンタイプ情報２１ａは、ＡＵＮｘ、ＡＵＮｘ＋１、ＡＵＮｘ＋２においてそれぞれ「００」、「１０」、「１０」となっている。一方、切替えフラグはそれぞれ「０」、「１」、「０」となっている。これらより、ＡＵＮｘの切替フラグ２１ｂは「０」であるのでＡＵＮｘ内の全てのデータセクタ１２はデータゾーン１０２に属しており、途中で記録領域が切替わっていないことがわかる。ＡＵＮｘ＋２も同様に、切替フラグ２１ｂは「０」であるので、全てのデータセクタ１２はリードアウトエリア１０３に属しており、途中で記録領域が切替わっていないことがわかる。しかし、ＡＵＮｘ＋１だけは、切換えフラグ２１ｂが「１」であるので、途中で属する記録領域が切替わっていることがわかる。さらに、ゾーンタイプが「１０」であるので、ＡＵＮｘ＋１を構成するデータセクタ１２がデータゾーン１０２に属するものとリードアウトエリア１０３に属するものがあることが識別できる。このように、ゾーンタイプ情報２１ａだけでなく切替えフラグ２１ｂも参照することにより、そのＡＵＮにおいて、記録領域の属性が途中で切り替っていることを検出することができる。
【００３８】
［情報記録再生装置］
以下では、本発明に係る情報記録再生装置について説明する。
【００３９】
まず、情報記録再生装置４００の構成について説明する。図６は本発明の実施例である情報記録再生装置４００を示している。情報記録再生装置４００は、記録媒体に記録情報を記録する機能と、記録媒体に記録された記録情報を再生する機能とを備えている。具体的には、情報記録再生装置４００は、ＢＤ−ＲＷ等の記録用ディスクに情報を記録することができる。また、情報記録再生装置４００は、ファイナライズ処理されたＢＤ−ＲＷ等の記録用ディスクの再生に加え、ＢＤ−ＲＯＭ等の再生専用ディスクを再生することもできる。情報記録再生装置４００は、ディスクドライブ２００と、バックエンド３００とを備えている。
【００４０】
図７はディスクドライブ２００の内部構成を示している。ディスクドライブ２００は、光ディスク１００に情報を記録すると共に、光ディスク１００に記録された情報を読み取る装置である。光ディスク１００は、上述した記録用ディスクと再生専用ディスクのいずれかを用いることができる。
【００４１】
ディスクドライブ２００は、図７に示すように、スピンドルモータ２０１、光ピックアップ２０２、ＲＦアンプ２０３、サーボ回路２０４を備えている。これらの要素は、主としてディスクドライブ２００の駆動機構およびその駆動制御手段を構成するものである。
【００４２】
スピンドルモータ２０１は光ディスク１００を回転させるモータである。
【００４３】
光ピックアップ２０２は、記録時および読取時のいずれにおいても、光ビームの反射光に対応するＲＦ信号を出力する。光ディスク１００がウォブルランドグルーブ方式を採用している場合には、光ディスク１００の記録面上にはウォブルの付いたランドおよびグルーブ並びにプリピットなどが予め形成されているので、ＲＦ信号の中にはウォブル、ランド、グルーブ、プリピット等の制御情報が含まれている。さらに、光ディスク１００に記録情報がすでに記録されている場合には、この記録情報もＲＦ信号の中に取り込まれる。
【００４４】
ＲＦアンプ２０３は、光ピックアップ２０２から出力されたＲＦ信号を増幅して、そのＲＦ信号を変調復調部２０５に出力する。さらに、ＲＦアンプ２０３は、このＲＦ信号から、ウォブル周波数信号ＷＦ、トラッキングエラー信号ＴＥおよびフォーカスエラー信号ＦＥなどを作り出し、これらを出力する。
【００４５】
サーボ回路２０４は、トラッキングエラー信号ＴＥ、フォーカスエラー信号ＦＥその他のサーボ制御信号に基づいて光ピックアップ２０２およびスピンドルモータ２０１の駆動を制御するサーボ制御回路である。具体的には、サーボ回路２０４は、トラッキングエラー信号ＴＥに基づいて、光ピックアップ３０２と光ディスク１００上のトラックとの間の位置関係を制御する。また、サーボ回路２０４は、フォーカスエラー信号ＦＥに基づいて、光ピックアップ２０２の光ビームのフォーカシングを制御する。
【００４６】
さらに、ディスクドライブ２００は、図７に示すように、変調復調部２０５、バッファ２０６、インターフェース２０７および光ビーム駆動部２０８を備えている。これらの要素は、主として光ディスク１００から読み取られた記録情報の復調および出力を担うと共に、光ディスク１００に記録すべき記録情報の受取および変調を担う。
【００４７】
変調復調部２０５は、読取時において記録情報に対してエラー訂正を行う機能と、記録時において記録情報にエラー訂正符号を付加してこれを変調する機能とを備えた回路である。具体的には、変調復調部２０５は、読取時においては、ＲＦアンプ２０３から出力されるＲＦ信号を復調し、これに対してエラー訂正を行った後、これをバッファ２０６に出力する。また、変調復調部２０５は、記録時においては、バッファ２０６から出力される記録情報にエラー訂正符号を付加した後、これを、光ディスク１００の光学的特定等に適合する符号となるように変調し、変調された記録情報を光ビーム駆動部２０８に出力する。
【００４８】
バッファ２０６は、記録情報を一時的に蓄える記憶回路である。
【００４９】
インターフェース２０７は、ディスクドライブ２００とバックエンド３００との間の記録情報等の入出力制御ないし通信制御を行う回路である。具体的には、インターフェース２０７は、再生時においては、バックエンド３００からの要求命令に応じて、バッファ２０６から出力される記録情報（すなわち光ディスク１００から読み取られた記録情報）をバックエンド３００へ出力する。また、インターフェース２０７は、記録時においては、バックエンド３００からディスクドライブ２００に入力される記録情報を受け取り、これをバッファ２０６に出力する。
【００５０】
さらに、ディスクドライブ２００は、図７に示すように、ゾーンタイプ情報検出部２０９と切替えフラグ検出部２１０を備えている。
【００５１】
ゾーンタイプ情報検出部２０９は、光ディスク１００のデータセクタ１２又はＡＵＮ２０内に記録されたゾーンタイプ情報を検出することができる。このゾーンタイプ情報は前述したように２ビットの情報であり、データセクタ１２がリードインエリア１０１に位置すれば「０１」と記録されており、データゾーン１０２に位置すれば「００」と記録されており、リードアウトエリア１０３にあれば「１０」と記録されている。ゾーンタイプ情報検出部２０９が検出したゾーンタイプ情報は、後述するＣＰＵ２１３などに入力されて光ピックアップ位置の判定などが行われることにより、光ピックアップ２０２を無信号エリア１０４に移動させないような制御を行うことができる。
【００５２】
切替えフラグ検出部２１０は、本発明に係る記録構造を有するブルーレイディスクにおいて、ＡＵＮ２０内に記録された切替えフラグ２１ｂを検出することができる。この切替えフラグ２１ｂは１ビットの情報であり、ブルーレイディスクにおいてアドレス管理に用いられるＡＵＮ２０単位内に記録されている。前述したように、ＡＵＮ２０内に記録領域の境界が存在するときには「１」と記録され、ＡＵＮ２０内に記録領域の境界が存在しないときには「０」と記録される。切替えフラグ検出部２１０が検出した切替えフラグ２１ｂの情報も、後述するＣＰＵ２１３などに入力されて光ピックアップ位置の判定などが行われることにより、光ピックアップ２０２を無信号エリア１０４に移動させないような制御を行うことができる。
【００５３】
なお、ゾーンタイプ情報検出部２０９及び切替えフラグ検出部２１０は、ＣＰＵ２１３とは別個に配置する必要はなく、ＣＰＵ２１３内に設けて処理を行ってもよい。
【００５４】
ＣＰＵ２１３は、ディスクドライブ２００の全体的な制御および上述したディスクドライブ２００内の各要素間の情報のやり取りを制御・管理する。例えば、本発明においては、ゾーンタイプ情報検出部２０９が検出したゾーンタイプ情報２１ａと切替えフラグ検出部２１０が検出した切替えフラグ２１ｂに基づいて、ブルーレイディスク等に記録されたデータの再生に関する処理を行う。具体的には、ＣＰＵ２１３は、ゾーンタイプ情報２１ａ及び切替えフラグ２１ｂにより、データゾーン１０２とリードアウトエリア１０３の境界のアドレスを取得することができる。これにより、ＣＰＵ２１３は、正確に光ピックアップ２０２がリードアウトエリア１０３に突入したことを把握することができるので、光ピックアップ２０２がその先の無信号エリア１０４に達しないように制御することができる。
【００５５】
さらに、ＣＰＵ２１３は、後述するバックエンド３００から送られる要求命令に応じて、光ピックアップ２０２の読取動作の制御、およびバッファ２０６に蓄えられた記録情報のバックエンドへの出力制御を行い、これにより、コンテンツ情報の通常の再生制御および先読み制御などを行うこともできる。
【００５６】
次に、図８に示したバックエンド３００の内部構造について説明する。バックエンド３００は、ディスクドライブ２００によって光ディスク１００から読み取られた記録情報に対して再生処理を行うと共に、光ディスク１００に記録する目的で外部から供給された記録情報を受け取り、これを圧縮（エンコード）してディスクドライブ２００送り出す装置である。
【００５７】
図８に示すように、バックエンド３００は、ドライブ制御部３０１、ビデオデコーダ３０２、オーディオデコーダ３０３、ビデオエンコーダ３０４、オーディオエンコーダ３０５、システム制御部３０６を備えている。
【００５８】
ドライブ制御部３０１は、ディスクドライブ２００の読取処理および記録処理を制御する回路である。記録情報を光ディスク１００から読み取ってそれを再生する作業、および記録すべき情報を外部から受け取ってそれを光ディスク１００に記録する作業は、バックエンド３００とディスクドライブ２００とが協働して行う。ドライブ制御部３０１は、ディスクドライブ２００の読取処理および記録処理を制御することにより、バックエンド３００とディスクドライブ２００との協働を実現する。具体的には、ドライブ制御部３０１は、ディスクドライブ２００に対して、再生、記録、バッファ２０６から記録情報の出力などに関する要求命令を出力する。さらに、本実施例においては、ドライブ制御部３０１は上述したＣＰＵ２１３と同様に、ゾーンタイプ情報検出部２０９及び切替えフラグ検出部２１０の入力又は出力を制御する入出力制御も行うことができる。
【００５９】
ビデオデコーダ３０２及びオーディオデコーダ３０３は、夫々、ディスクドライブ２００により光ディスク１００から読み取られ、ドライブ制御部３０１を介して供給された記録データを復調し、記録データをディスプレイ、スピーカなどにより再生可能な状態に変換する回路である。
【００６０】
ビデオエンコーダ３０４及びオーディオエンコーダ３０５は、夫々、光ディスク１００に記録する目的で外部から入力された映像信号、音声信号等を受け取り、これを例えばＭＰＥＧ圧縮方式等により圧縮し、これを、ドライブ制御部３０１を介してディスクドライブ２００に供給する回路である。
【００６１】
システム制御部３０６は、再生時には、ドライブ制御部３０１、ビデオデコーダ３０２、オーディオデコーダ３０３を制御し、これらと協働して記録データの再生処理を行う回路である。また、記録時には、システム制御部３０６は、ドライブ制御部３０１、ビデオエンコーダ３０４、オーディオエンコーダ３０５を制御し、これらと協働して記録データの記録処理を行う。また、システム制御部３０６は、再生時及び記録時において、ディスクドライブ２００とバックエンド３００との協働を実現するために、ドライブ制御３０１と共に、ディスクドライブ２００に対する制御（例えば各種要求命令の生成・送信、応答信号の受信など）を行うことができる。
【００６２】
［最終アドレス探索処理］
次に、上述した情報記録再生装置４００にて行われる本発明に係る記録領域の最終アドレス探索処理について説明する。図９に、その処理手順を表したフローチャートを示す。ここでの処理は、先に述べたＣＰＵ２１３又はドライブ制御部３０１が、ブルーレイディスクなどに記録されたゾーンタイプ情報２１ａ及び切換えフラグ情報２１ｂに基づいてデータゾーン１０２とリードアウトエリア１０３の境界のアドレス（即ち、データゾーン１０２の最終アドレス）を取得するために行うものである。この最終アドレス探索処理後には、ＣＰＵ２１３又はドライブ制御部３０１は、光ピックアップ２０２がデータゾーン１０２の最終セクタ以降に移動しないように制御することができる。
【００６３】
なお、リードインエリア１０１などにデータゾーン１０２の最終アドレス情報が予め記録されている場合があるが、以下で説明する処理は、この最終アドレス情報が読み取れなかった場合に特に有効となる。通常、ドライブは最終アドレス情報が読み取れなかった場合には、再生を続行することができないが、前記ゾーンタイプと切り替フラグの情報があれば、データゾーンの最終アドレス情報を特定することが可能となるため読み込みを続行することができる。
【００６４】
以下で、その具体的な処理について、図９を参照しながら説明する。
【００６５】
まず、ステップＳ１１にて、ＣＰＵ２１３又はドライブ制御部３０１は光ディスク１００の内周側から外周側に例えば、ＲＦ探索等を行い、情報の記録エリアと未記録エリアの境界を探す制御を行う。前述したＲＦアンプ２０３から出力されるＲＦ信号をサーチすることにより、記録エリアと未記録のおおよその境界を検出することができる。なお、この記録エリアと未記録エリアの境界は、ほぼリードアウトエリア１０３と無信号エリア１０４の境界に当たる。
【００６６】
次に、ステップＳ１２にて、記録エリアと未記録エリアの境界に到達したか否かの判定を行う。この境界に到達したならば（ステップＳ１２；Ｙｅｓ）、ステップＳ１３に進む。未だ境界に到達していないならば（ステップＳ１２；Ｎｏ）、ステップＳ１１に戻り、再びＲＦ探索にて境界を探す処理を行う。
【００６７】
ステップＳ１３では、光ピックアップ２０２をリードアウトエリア１０３の領域に相当する距離の分だけ光ディスク１００の内周側にジャンプさせて、再生動作を行う。こうするのは、記録エリアと未記録エリアの境界は、ほぼリードアウトエリア１０３と無信号エリア１０４の境界に当たるので、光ピックアップ２０１をデータゾーン１０２とリードアウトエリア１０３の境界近傍に落とすことができるからである。以上の処理が終了するとステップＳ１４に進む。
【００６８】
以下で説明するステップＳ１４からステップＳ１８までの処理は、ＥＣＣブロック１１単位に対してデータゾーン１０２とリードアウトエリア１０３のおおよその境界を見定める処理を行う。すなわち、これらのステップでは、１つのＥＣＣブロック１１単位内においてデータゾーン１０２からリードアウトエリア１０３へ切り替わっているＥＣＣブロック１１を決定する処理を行う。具体的には、このＥＣＣブロック１１内のゾーンタイプ情報２１ａが、全てリードアウトエリア１０３を示すもの又はデータゾーンを示すものを排除していく処理を繰り返すことにより、目当てのＥＣＣブロック１１を探し当てることができる。
【００６９】
まず、ステップＳ１４では、ＣＰＵ２１３又はドライブ制御部３０１は、１つのＥＣＣブロック１１の読み込みとそれのデコードを行う。そして、このＥＣＣブロック１１内のアドレス情報ブロック１８からゾーンタイプ情報２１ａと切換えフラグ２１ｂを取得する。これらの情報は、ゾーンタイプ情報検出部２０９及び切替えフラグ検出部２１０から取得することができる。以上の処理が終了するとステップＳ１５に進む。
【００７０】
ステップＳ１５では、ＣＰＵ２１３又はドライブ制御部３０１は、１つのＥＣＣブロック１１内のゾーンタイプ情報２１ａが全てリードアウトエリア１０３を示しているかどうか（即ち、ゾーンタイプ情報２１ａが全て「１０」であるかどうか）を判定する。
【００７１】
１つのＥＣＣブロック１１内のゾーンタイプ情報２１ａが全てリードアウトエリア１０３を示していれば（ステップＳ１５；Ｙｅｓ）、ステップＳ１６に進む。ステップＳ１６では、光ピックアップ２０２をさらに内周側にジャンプさせて再生動作を行う。こうするのは、現在調べたＥＣＣブロック１１内の全てのデータセクタ１２はリードアウトエリア１０３に属しているので、内周側に位置するデータゾーン１０２の方に向かって光ピックアップを移動させてデータゾーン１０２とリードアウトエリア１０３の境界を探すためである。ステップＳ１６の処理が終了すると、ステップＳ１４に戻り再び上記の処理を行う。ステップＳ１４からステップＳ１６までの処理を繰り返すことで、ＥＣＣブロック１１内のデータセクタ１２全てがリードアウトエリア１０３に属していないものを探し出すことができる。
【００７２】
一方、ステップＳ１５にて１つのＥＣＣブロック１１内のゾーンタイプ情報２１ａが全てリードアウトエリア１０３でないと判定されれば（ステップＳ１５；Ｎｏ）、ステップＳ１７にて処理を行う。ステップＳ１７に至ったＥＣＣブロック１１は、このＥＣＣブロック１１内のデータセクタがすべてデータゾーン１０２に属しているか、又はデータゾーンに属するものとリードアウトエリア１０３に属するものが混在しているかのどちらかである。ステップＳ１７では、ＣＰＵ２１３又はドライブ制御部３０１は、ＥＣＣブロック１１内のゾーンタイプ情報２１ａが全てデータゾーン１０２を示しているか（即ち、ゾーンタイプ情報２１ａが全て「００」であるかどうか）を判定する。
【００７３】
１つのＥＣＣブロック１１内のゾーンタイプ情報２１ａが全てリードアウトエリア１０３を示していれば（ステップＳ１７；Ｙｅｓ）、ステップＳ１８に進む。ステップＳ１８では、まず光ピックアップ２０２を外周側の隣のＥＣＣブロック１１に移動させ、そのＥＣＣブロック１１の読み込みとそれのデコードを行う。そして、このＥＣＣブロック１１内のアドレス情報ブロック１８からゾーンタイプ情報２１ａと切換えフラグ２１ｂを取得する。ステップＳ１８の処理が終了すると、ステップＳ１７に戻り再び上記の処理を行う。ステップＳ１７とステップＳ１８の処理を繰り返すことでデータゾーン１０２とリードアウトエリア１０３の境界が含まれるＥＣＣブロック１１を探し出すことができる。
【００７４】
一方、１つのＥＣＣブロック１１内のゾーンタイプ情報２１ａが全てリードアウトエリア１０３を示していなければ（ステップＳ１７；Ｎｏ）、図１０に示すステップＳ２１以降の処理を行う。ステップＳ１７での処理より、この処理が行われたＥＣＣブロック１１内には、データゾーン１０２とリードアウトエリア１０３の境界が含まれることが明らかとなっている。そのため、ステップＳ２１以降の処理では、このＥＣＣブロック１１内のどのデータセクタ１２がデータゾーン１０２の最終セクタであるかを決定する。具体的には、ＡＵＮ２０単位内で上記の最終セクタの位置を決定する処理を行っていく。
【００７５】
まず、ステップＳ２１では、ＣＰＵ２１３又はドライブ制御部３０１は、ゾーンタイプ情報２１ａがデータゾーン１０２からリードアウトエリア１０３に切替わる（即ち、ゾーンタイプ情報２１ａが「００」から「１０」になる）最初のＡＵＮ２０を取得する。図５に示した例においては、ＡＵＮｘ＋１がそれに当たる。
【００７６】
次にステップＳ２２では、ＣＰＵ２１３又はドライブ制御部３０１は、上記のＡＵＮ２０が含まれるアドレスフィールド１９の切換えフラグ２１ｂが、領域の境界があることを示す「１」であるかどうか判定を行う。
【００７７】
切換えフラグ２１ｂが「１」であれば（ステップＳ２２；Ｙｅｓ）、ステップＳ２３に進む。ステップＳ２３では、当該ＡＵＶ２０の最初のデータセクタがデータゾーン１０２の最終セクタであると特定する。図１１（ａ）に表した具体例を用いて、上記の特定が正しいことを示す。図１１では、２個のデータセクタ１２から構成されるＡＵＮ２０を示している。左から、ＡＵＮ２０のアドレスがｘ、ｘ＋１、ｘ＋２となっている（以下、それぞれのＡＵＮ２０を、「ＡＵＮｘ」、「ＡＵＮｘ＋１」、「ＡＵＮｘ＋２」と表記する）。ここでは、ＡＵＮｘからＡＵＮｘ＋１の間で、ゾーンタイプ情報２１ａがデータゾーン１０２からリードアウトエリア１０３に切替わったとする。さらに、ＡＵＮｘ＋１の切換えフラグ２１ｂを調べたとき、切替わっていることを示す「１」であったとする。このような状況では、このＡＵＮｘ＋１内にデータゾーン１０２とリードアウトエリア０１３の境界が含まれることに他ならないことがわかる。したがって、ＡＵＶｘ＋１の最初のデータセクタがデータゾーン１０２の最終セクタであると特定することができる。
【００７８】
一方、切換えフラグ２１ｂが「１」でなければ（ステップＳ２２；Ｎｏ）、ステップＳ２４に進む。ステップＳ２４では、当該ＡＵＶ２０の１つ前のＡＵＮ２０の最後のデータセクタが、データゾーン１０２の最終セクタであると特定する。図１１（ｂ）に表した具体例を用いて、上記の特定が正しいことを示す。図１１では、２個のデータセクタ１２から構成されるＡＵＮ２０を示している。左から、ＡＵＮ２０のアドレスがｘ、ｘ＋１、ｘ＋２となっている（以下、同様に「ＡＵＮｘ」、「ＡＵＮｘ＋１」、「ＡＵＮｘ＋２」と表記する）。ここでは、ＡＵＮｘからＡＵＮｘ＋１の間で、ゾーンタイプ情報２１ａがデータゾーン１０２からリードアウトエリア１０３に切替わったとする。さらに、ＡＵＮｘ＋１の切換えフラグ２１ｂを調べたとき、切替わっていないことを示す「０」であったとする。このような状況では、このＡＵＮｘ＋１内にデータゾーン１０２とリードアウトエリア１０３の境界は含まれておらず、ＡＵＮｘとＡＵＮｘ＋１の境界そのものがこれに当たることがわかる。したがって、ＡＵＮｘの最後のデータセクタが、データゾーン１０２の最終セクタであると特定することができる。
【００７９】
このような処理により、データゾーン１０２とリードアウトエリア１０３の境界のアドレス（即ち、データゾーン１０２の最終アドレス）を取得することができる。これにより、ＣＰＵ２１３又はドライブ制御部３０１は、光ピックアップ２０２がデータゾーン１０２の最終セクタ以降に移動しないように制御することができる。
【００８０】
なお、上記の例は、光ディスク１００のデータゾーン１０２とリードアウトエリア１０３の境界を検出する例であったが、本発明による切替フラグを用いて、同様の手法により他の記録領域の境界、例えばリードインエリア１０１とデータゾーン１０２の境界なども正確に検出することが可能となる。
【図面の簡単な説明】
【００８１】
【図１】本実施形態に係る情報記録媒体の概略構成を示す図である。
【図２】本実施形態に係る情報記録媒体の記録構造を示す図である。
【図３】図２中のＥＣＣブロック内の制御情報ブロックを詳細に示す図である。
【図４】図３中の制御情報ブロック内のアドレスフィールドに関して一例を示した図である。
【図５】ゾーンタイプ情報と切替えフラグにより記録領域の境界を特定する方法の一例について示した図である。
【図６】本発明の実施例である情報記録再生装置の構成を示すブロック図である。
【図７】図６中の情報記録再生装置のディスクドライブの構成を示すブロック図である。
【図８】図６中の情報記録再生装置のバックエンドの構成を示すブロック図である。
【図９】本発明に係る最終アドレス探索に関する初期の処理手順を示すフローチャートである。
【図１０】図９の処理以降の最終アドレス探索に係る処理手順を示すフローチャートである。
【図１１】切換えフラグによる記録領域の境界を特定する方法の一例について示した図である。
【符号の説明】
【００８２】
１００  光ディスク
１０１  リードインエリア
１０２  データゾーン
１０３  リードアウトエリア
１０４  無信号エリア
２００  ディスクドライブ
２０１  スピンドルモータ
２０２  光ピックアップ
２０３  ＲＦアンプ
２０４  サーボ回路
２０９  ゾーンタイプ情報検出部
２１０  切替えフラグ検出部
２１３  ＣＰＵ
３００  バックエンド
３０６  システム制御部
４００  情報記録再生装置
【図１】
2005085445.tif 000003
【図２】
2005085445.tif 000004
【図３】
2005085445.tif 000005
【図４】
2005085445.tif 000006
【図５】
2005085445.tif 000007
【図６】
2005085445.tif 000008
【図７】
2005085445.tif 000009
【図８】
2005085445.tif 000010
【図９】
2005085445.tif 000011
【図１０】
2005085445.tif 000012
【図１１】
2005085445.tif 000013